(57)【要約】【課題】遊技島の施工現場において回収樋の設置作業および調整作業を容易に行えるようにする。【解決手段】複数の遊技機が配列される遊技島であって、各遊技機から排出された遊技球を回収して、遊技島の上部に遊技球を揚送する揚送装置に向けて遊技球を移動させる遊技球回収機構を備えた遊技島において、前記遊技球回収機構は、前記遊技島の長手方向において前記揚送装置に向けて下り傾斜して配設され、各遊技機から排出された遊技球を回収する回収樋を備える。前記回収樋は、吊下げ固定手段により遊技島内に吊り下げて固定される回収樋部材を備える。前記吊下げ固定手段によって前記回収樋部材が吊下げられる高さによって前記回収樋の傾斜が調整可能である。【選択図】図３
2014033942.tif 000002
【特許請求の範囲】
【請求項１】
複数の遊技機が配列される遊技島であって、各遊技機から排出された遊技球を回収して、遊技島の上部に遊技球を揚送する揚送装置に向けて遊技球を移動させる遊技球回収機構を備えた遊技島において、
前記遊技球回収機構は、
前記遊技島の長手方向において前記揚送装置に向けて下り傾斜して配設され、各遊技機から排出された遊技球を回収する回収樋を備え、
前記回収樋は、吊下げ固定手段により遊技島内に吊り下げて固定される回収樋部材を備え、
前記吊下げ固定手段によって前記回収樋部材が吊下げられる高さによって前記回収樋の傾斜が調整可能であることを特徴とする遊技島。
【請求項２】
前記回収樋は、前記遊技島の長手方向において並べて配置された複数の回収樋部材を備え、
隣り合う回収樋部材は、下流側の回収樋部材の上流側と、上流側の回収樋部材の下流側が互いに重なるように配置されていることを特徴とする請求項１に記載の遊技島。
【請求項３】
前記回収樋部材は、遊技球が転動可能な転動面を有する底部を備え、前記底部の両端において、外側上方に向かって傾斜した傾斜部を有することを特徴とする請求項１又は２に記載の遊技島。
【請求項４】
前記遊技島に設置された複数の前記回収樋部材の上面に亘って弾性部材が敷設されること特徴とする請求項１から３のいずれかに記載の遊技島。
【請求項５】
前記弾性部材は、前記回収樋部材における長尺方向に沿った端よりも延出して設けられることを特徴とする請求項４に記載の遊技島。
【発明の詳細な説明】
【技術分野】
【０００１】
本発明は、遊技機が設置される遊技島に関するものである。
【背景技術】
【０００２】
遊技島は、設置する遊技店によって所望する全長寸法が異なる。このため、遊技島の施工現場において、各遊技機から排出された遊技球を回収する回収樋（アウト樋）などの位置や傾斜角度の調整が必要となっている。複数の樋部材を連結させて回収樋を構成する場合に、回収樋を構成する各パーツ専用の樋部材を現場で組み合わせようとすると、種々の形状の樋部材を予め準備しなければならないためコストがかかる。
【０００３】
そこで、特許文献１のように、共通形状の樋部材を準備して複数組み合わせるようにすることが考えられるが、この場合にコストは削減できる反面、現場における設置作業が煩雑になってしまう。なお、特許文献１では、遊技島内の設置空間内部に回収樋用のアウトレールを傾斜状に敷設する際には、支持部材を側壁板に設けられた調節長穴の任意の高さに側方からネジで仮止めし、支持部材の上面にアウトレール載置板を固定して一応の傾斜角度を出した後、側方から仮止めしたネジを緩めて支持部材の高さの微調整を行う。所望の傾斜角度となったら支持部材は本止めされて、このアウトレール載置板にアウトレールが載せられる。
【先行技術文献】
【特許文献】
【０００４】
【特許文献１】特開２００３−２９９８６４号公報
【発明の概要】
【発明が解決しようとする課題】
【０００５】
しかしながら、アウトレールを載置する際に現場での設置手順が煩雑で手間がかかってしまう。また、支持部材の高さをネジで側方から調整するので、狭い遊技島内において作業を行うことが困難である。
【０００６】
本発明は、上記の問題に鑑みなされたもので、施工現場において回収樋の設置作業および調整作業を容易に行えるようにすることを目的とする。
【課題を解決するための手段】
【０００７】
本発明の代表的な一形態では、複数の遊技機が配列される遊技島であって、各遊技機から排出された遊技球を回収して、遊技島の上部に遊技球を揚送する揚送装置に向けて遊技球を移動させる遊技球回収機構を備えた遊技島において、前記遊技球回収機構は、前記遊技島の長手方向において前記揚送装置に向けて下り傾斜して配設され各遊技機から排出された遊技球を回収する回収樋を備える。前記回収樋は、吊下げ固定手段により遊技島内に吊り下げて固定される回収樋部材を備える。前記吊下げ固定手段によって前記回収樋部材が吊下げられる高さによって前記回収樋の傾斜が調整可能である。
【０００８】
なお、上記において、「遊技球を移動させる」とは、遊技球を流下させることや遊技球を搬送することを含む。「吊下げ固定手段」は、例えば、締結部材を備えた吊下げ金具である。
【発明の効果】
【０００９】
本発明の一形態によれば、遊技島の施工現場において、回収樋の設置作業および調整作業が容易にできる。
【図面の簡単な説明】
【００１０】
【図１】本発明の第１の実施の形態に係る遊技島の構造を示す斜視図である。
【図２】本発明の第１の実施の形態に係る遊技球回収機構を示す拡大斜視図である。
【図３】本発明の第１の実施の形態に係る遊技球回収機構の断面図である。
【図４Ａ】本発明の第１の実施の形態に係る回収樋部材と吊下げ固定手段を示す斜視図である。
【図４Ｂ】本発明の第１の実施の形態に係る吊下げ固定手段の変形例を示す斜視図である。
【図５】本発明の第１の実施の形態に係る回収樋を示す斜視図である。
【図６】本発明の第２の実施の形態に係る回収樋を示す断面図である。（Ａ）は通常の状態であり、（Ｂ）は遊技球の重みで底部が湾曲した状態を示す。
【図７】本発明の第３の実施の形態に係る回収樋を示す図である。（Ａ）は断面図であり、（Ｂ）は斜視図である。
【図８】本発明の第３の実施の形態に係る回収樋を示す図である。（Ａ）は長手方向において撓んだ状態であり、（Ｂ）は補強部材により撓まない状態である。
【図９】本発明の第３の実施の形態に係る補強部材の使用例を示す図である。
【図１０】本発明の第４の実施の形態の遊技島の構造を示す斜視図である。
【図１１】遊技店のフロアの概略配置図（レイアウト図）である
【発明を実施するための形態】
【００１１】
以下、図面を参照して、本発明による遊技島の実施形態について説明する。
【００１２】
（第１の実施の形態）
〔遊技島全体の構成〕
図１は、本発明の第１の実施の形態の遊技島１の全体の斜視図である。
【００１３】
本実施の形態において、遊技島１は、遊技球回収機構（又は遊技球回収装置）３と、揚送装置（又は揚送研磨装置）５と、図示省略する遊技球供給機構（又は遊技球供給装置）と、タンク９とを備えている。なお、遊技島１は、計数機（所謂ジェットカウンタ）１１を備えているが無くても良い。また、遊技島１には、複数の遊技機（図示省略）が配設されている。本実施の形態の遊技島１は、遊技島１の両側で、遊技島１の長手方向に複数の遊技機が並べて配置されるいわゆる両島タイプのものである。本実施の形態において、遊技機は、パチンコ機であるが、これに限定されるものではなく、例えば、パロットでも良い。なお、本体枠（外枠）に共通のものを使用して遊技盤等のみを交換するタイプの遊技機では、遊技島１に固定される本体枠（外枠）を、遊技島１の構成要素とみなしてもよい。
【００１４】
遊技球回収機構３は、各遊技機から排出された遊技球を回収して、揚送装置５に向けて遊技球を移動させる。なお、遊技球回収機構３は、遊技球の重みによって遊技球を流下させる他に、揚送装置５までの一部の区間において搬送装置によって遊技球を搬送してもよい。揚送装置５は、遊技球回収機構３を介して揚送装置５の下部に集められた遊技球を遊技島１の上部のタンク９に揚送する。遊技球供給機構は、タンク９から排出された遊技球を各遊技機に供給する。このように、遊技島１内の遊技球は、遊技島１内を循環する。なお、計数機１１で計数された遊技球は、揚送装置５の下部付近に排出される。
【００１５】
さらに、遊技島１は、フレーム構造として、下段枠部１３と、上段枠部１５と、支柱１７とを備えている。下段枠部１３と上段枠部１５は、遊技島１の長手方向（水平方向）に沿って延在する。支柱１７は、鉛直方向に沿って延在する。梯子状の支柱１７は、下段枠部１３と上段枠部１５とに連結され、上段枠部１５を下段枠部１３に対して支持する。
【００１６】
下段枠部１３は、遊技島１の長手方向に延びる二つのボックス状（コの字形状）のボックス腰板２１と、二つのボックス腰板２１に接続してこれを支持する枠体である台座部２３と、各ボックス腰板２１の上面の一部に接続して設置される遊技機等戴置部２５とを、備えている。なお、図１において、遊技球回収機構３を示すため、揚送装置５側においてボックス腰板２１は一部を切欠いて示している。
【００１７】
台座部２３の上端部において、支柱１７の下端部が螺子止め等により接続され支持される。ボックス腰板２１は、鉛直方向に沿って設けられて遊技球回収機構３に対向する側壁２１ｂを有する。下段枠部１３内において配置される遊技球回収機構３は、二つのボックス腰板２１の側壁２１ｂの間の空間に設置される。遊技機等戴置部２５上には、直接またはスペーサを介して、遊技機が載置されている。また、球貸機（図示省略）や、遊技機から排出された遊技球を受け入れて計数後に回収樋に排出するアウトタンク（図示省略）が戴置される。遊技機等戴置部２５を前方に延出して、又は、遊技機等戴置部２５とは別体で、遊技球の箱（球箱、ドル箱）を載置するための膳板３５を設けてもよい（図２参照）。
【００１８】
上段枠部１５内において、遊技島１の長手方向に沿って傾斜した供給樋からなる遊技球供給機構が配置される。上段枠部１５において長手方向に沿って複数の補給シュートが設けられ、各補給シュートを介して遊技球供給機構の供給樋から各遊技機の上部供給皿に向けて遊技球が供給される。
【００１９】
遊技球回収機構３は、遊技島１の長手方向において揚送装置５に向けて下り傾斜で（即ち下り勾配で）配設され、遊技機から排出された遊技球を回収する回収樋（アウト樋）４１を有している。回収樋４１は、遊技球の流路を構成する。回収樋４１を構成する複数の回収樋部材５１は、吊下げ固定手段４３により、遊技島１内に吊り下げて固定される。回収樋部材５１は、略板状の部材である。本実施の形態において、回収樋部材５１は、金属製であるが、他の材料（例えば、樹脂）から構成されてもよい。  
【００２０】
揚送装置５は、モータによって周回駆動される無端状の搬送ベルトと、搬送ベルトに対面して設けられ且つ搬送ベルトとの間に遊技球を挟持しながら遊技球に付着した汚れを拭き取る研磨布と、を有する、所謂布研磨リフトを例示している。揚送装置５は、遊技球回収機構３から導かれた遊技球を搬送ベルトによって上部に移送しながら、研磨布によって遊技球を磨いている。なお、揚送装置は、遊技球を揚送できればよく、所謂ポリ研磨リフトやバケット式のリフトでも良い。
【００２１】
〔遊技球回収機構〕
図２は、遊技球回収機構３を拡大した拡大図である。図３は、遊技球回収機構３の遊技島１の長手方向に垂直な方向の拡大断面図である。
【００２２】
遊技球回収機構３において、回収樋４１を構成する各回収樋部材５１は、ボックス状のボックス腰板２１の上面２１ａの一部（鉛直方向の側壁２１ｂの端部でもよい）から複数の吊下げ固定手段４３によって吊り下げられる。回収樋部材５１において、吊下げ固定手段４３によって吊下げ固定される箇所（部分）の高さを、各吊下げ固定手段４３によって違わせることができる。このため、各回収樋部材５１（ひいては回収樋４１）の傾斜を調整できる。なお、本実施の形態では、後述のように、各回収樋部材５１に対して４つの吊下げ固定手段４３が設けられる（図４Ａ、５参照）。
【００２３】
吊下げ固定手段４３（懸架手段、懸架部材、吊下げ固定部材、吊下げ部材などと言ってもよい）は、吊り棒６１と、上固定具６３と、下固定具６５と、上ナット６７と、下ナット６９とから構成される。本実施の形態において、吊下げ固定手段４３は、金属製の吊り金具であるが、金属以外の材料から構成されてもよい。吊り棒６１は、上ナット６７と下ナット６９に係合（螺合）できるように少なくとも両端部にねじ部を有し、例えば両ねじボルトや長ねじボルトから構成される。なお、上固定具６３は、ボックス腰板２１の一部分とみなしてもよく、下固定具６５は、回収樋部材５１の一部分とみなしてもよい。
【００２４】
上固定具６３は、吊り棒６１が貫通する貫通孔を有する第一の水平部６３ａと、螺子７１によりボックス腰板２１の上面２１ａに螺子止めされる第二の水平部６３ｂと、第一の水平部６３ａと第二の水平部６３ｂに接続する垂直部６３ｃを有する。本実施の形態において、上固定具６３は、段付き形状の板であるがこれに限らない。例えば、図３左右の上固定具６３を一体にして、段の無い１枚の板状にして、一方のボックス腰板２１の上面２１ａ（図３左側）から他方のボックス腰板２１の上面２１ａ（図３右側）に掛け渡しても良い。下固定具６５は、吊り棒６１が貫通する貫通孔を有する水平部６５ａと、回収樋部材５１に溶接等により接続する垂直部６５ｂを有する。本実施の形態において、下固定具６５は、Ｌ字状の板であるがこれに限らない。また、下固定具６５は回収樋部材５１に一体成形されるようにしてもよい。
【００２５】
上ナット６７（第一の締結部材、第一の締結部と呼んでもよい）は、下側の第一の上ナット６７ａと上側の第二の上ナット６７ｂを含む。第一の上ナット６７ａと第二の上ナット６７ｂは、上固定具６３の第一の水平部６３ａを締め付けて締結し、吊り棒６１に対する位置が固定される。下ナット６９（第二の締結部材、第二の締結部と呼んでもよい）は、下側の第一の下ナット６９ａと上側の第二の下ナット６９ｂを含む。第一の下ナット６９ａと第二の下ナット６９ｂは、下固定具６５の水平部６５ａを締め付けて締結し、吊り棒６１に対する位置が固定される。上ナット６７及び／又は下ナット６９の吊り棒６１における位置（締結位置）の調整により、ボックス腰板２１の上面２１ａと回収樋部材５１との間の距離が調整でき、回収樋４１の高さの調整ができる。
【００２６】
なお、下ナット６９は、二つのボックス腰板２１の間の空間の深くに位置するため、作業者は下ナット６９の緩め／締めが困難な場合もあるため、下ナット６９は設けずに、上ナット６７だけを設けてもよい。この場合には、下固定具６５と吊り棒６１を溶接等により接続してよい。なお、上ナット６７と下ナット６９が両方ある場合には、回収樋４１（回収樋部材５１）を二つのボックス腰板２１の間の空間に嵌め込む前に下ナット６９の吊り棒６１に対する位置を調整しておくことによって、柔軟な回収樋４１の高さの調整が可能となる。
【００２７】
吊下げ固定手段４３は、上記に限られず種々の変更が可能である。例えば、吊下げ固定手段４３は、締結手段（即ち締結部材）として、両端部にねじ部を有する吊り棒６１と上ナット６７又は下ナット６９の組合せを使用したが、代わりに他の締結手段（例えば吊り棒６１の上下方向に複数の穴を設けてピン止めすること）を用いてもよい。
【００２８】
このように、吊下げ固定手段４３によって回収樋４１（回収樋部材５１）を吊り下げるので、施工現場において回収樋４１の設置作業および調整作業を容易に行える。回収樋部材５１を吊下げ固定手段４３で吊り下げた状態で、ボックス腰板２１の上方から二つのボックス腰板２１の間の空間に挿入するだけで、回収樋４１の設置作業が進むため、施工現場での設置作業は容易になる。回収樋４１（回収樋部材５１）が吊り下げられるため、作業者は、回収樋４１とボックス腰板２１の上方から、回収樋４１の傾斜の調整を容易にできる。例えば、上ナット６７が二つのボックス腰板２１の間の空間の上部に位置する（深く位置しない）ため、作業者は、回収樋４１とボックス腰板２１の上方から上ナット６７の吊り棒６１に対する位置の調整を容易にでき、回収樋４１の吊り高さの調整（即ち、ボックス腰板２１の上面２１ａと回収樋部材５１の吊られる箇所との間の距離調整）を行うことによって回収樋４１の傾斜を容易に調整できる。
【００２９】
〔回収樋部材〕
図４Ａは、回収樋４１の構成要素である回収樋部材５１を単体で示す斜視図である。一つの回収樋部材５１には、４つの吊下げ固定手段４３（４３ａ、４３ｂ、４３ｃ、４３ｄ）が設けられている。回収樋部材５１は、その長尺方向が遊技島１の長手方向と略一致する向きに配置される。
【００３０】
なお、回収樋部材５１の一部を下方から支持して、回収樋部材５１を上下から固定することも可能である。この際には吊下げ固定手段４３は２つでもよく、例えば吊下げ固定手段４３ｂ、４３ｄを省略してもよい。また、この際に、図４Ｂのように、一つの回収樋部材５１に対して一つの吊下げ固定手段４３を一箇所のみに設けるようにしてもよい。図４Ｂにおいて、吊り棒６１は、連結部材６２で連結される上側吊り棒６１ａと下側吊り棒６１ｂから構成される。下側吊り棒６１ｂは、連結部材６２に旋回可能に軸支される。連結部材６２に螺合するねじ６４で下側吊り棒６１ｂの一部を遊技島１の長手方向に押すことによって、下側吊り棒６１ｂの傾きが、回収樋部材５１の傾斜に応じて調整できる。
【００３１】
回収樋部材５１は、遊技球が転動して流下できる転動面（流下面）５１ｄを上面に形成して回収樋部材５１の長尺方向（長手方向）に沿って延びる底部（平坦部）５１ａと、底部５１ａの長尺方向に沿った両端に連接して、外側上方に向かって傾斜した傾斜部（傾斜面）５１ｂと、傾斜部５１ｂの一部から鉛直方向に延出する取付延出部５１ｃとを備えている（図３も参照）。４つの吊下げ固定手段４３（４３ａ、４３ｂ、４３ｃ、４３ｄ）は、下固定具６５の垂直部６５ｂにおいて、取付延出部５１ｃに対して溶接等により接続している。傾斜部５１ｂによって回収樋４１を流下する遊技球は転動面（流下面）５１ｄの中央に寄せられるので、遊技球が回収樋４１から出てボックス腰板２１の鉛直方向に沿った側壁２１ｂに衝突し難くすることができる。
【００３２】
４つの吊下げ固定手段４３のうち、回収樋部材５１の長尺方向において対向する２つの吊下げ固定手段４３ａと４３ｂ（及び／又は、４３ｃと４３ｄ）における上ナット６７の吊り棒６１における締結位置の調整により、２つの吊下げ固定手段４３ａと４３ｂ（及び／又は、４３ｃと４３ｄ）各々における下固定具６５の高さを調整できる（即ち、上固定具６３と下固定具６５の距離を調整できる）。従って、回収樋部材５１において、上流側の吊下げ固定手段４３ａ（及び／又は４３ｃ）によって固定される箇所（部分）と、下流側の吊下げ固定手段４３ｂ（及び／又は４３ｄ）によって固定される箇所（部分）の高さを異ならせることができる。これにより、回収樋部材５１の長尺方向における傾斜（勾配）を調整でき、ひいては、遊技島１の長手方向における回収樋４１全体の傾斜（勾配）を調節できる。
【００３３】
また、４つの吊下げ固定手段４３のうち、回収樋部材５１の幅方向（短尺方向）（遊技島１の長手方向に略垂直な方向）において対向する２つの吊下げ固定手段４３ａと４３ｃ（及び／又は、４３ｂと４３ｄ）における上ナット６７の吊り棒６１における締結位置の調整により、２つの吊下げ固定手段４３ａと４３ｃ（及び／又は、４３ｂと４３ｄ）各々における下固定具６５の高さを調整できる（即ち、上固定具６３と下固定具６５の距離を調整できる）。従って、回収樋部材５１において、左側の吊下げ固定手段４３ａ（及び／又は４３ｂ）によって固定される箇所（部分）と、右側の吊下げ固定手段４３ｃ（及び／又は４３ｄ）によって固定される箇所（部分）の高さを異ならせることができ、幅方向（短尺方向）の水平を出すことができる。また、逆に、回収樋４１全体で幅方向に傾斜（勾配）をもたせることも可能である。
【００３４】
回収樋部材５１は、固定部５１−１と調整部５１−２の二つの部分から構成される。取付延出部５１ｃは、固定部５１−１には設けられているが、調整部５１−２には設けられていない。固定部５１−１は、４つの吊下げ固定手段４３（４３ａ、４３ｂ、４３ｃ、４３ｄ）によって固定される。ある一つの回収樋部材５１の調整部５１−２は、隣の回収樋部材５１の固定部５１−１の上に重ねて配置されることになる。調整部５１−２は吊下げ固定手段４３が設けられていないため、隣の回収樋部材５１の上に重ね易くなっている。また、調整部５１−２は、固定部５１−１に比べて若干狭く形成すると、より重ね易くなる。
【００３５】
〔回収樋〕
図５は、回収樋４１の一部を示す斜視図である。回収樋４１は、組み合わせた複数の回収樋部材５１を備えるが、隣り合う回収樋部材５１が接する長尺方向の一側同士（即ち一部）を互いに重ねて組み合わせることによって形成されている。具体的には、上述のように、最下流側に位置する回収樋部材５１を除いて、回収樋部材５１の調整部５１−２は、隣り合う回収樋部材５１の固定部５１−１の上に重ねられる。重ねた調整部５１−２が障壁とならないように、流下する遊技球の流れに関して、固定部５１−１は上流側に位置し、調整部５１−２は下流側に位置することが好ましい。言い換えれば、下流側の回収樋部材５１の上流側にある固定部５１−１の上方に、上流側の回収樋部材５１の下流側にある調整部５１−２を重ねれば良い。なお、回収樋部材５１の下流側の調整部５１−２は、下流側の回収樋部材５１に支持されるため、耐加重が十分で問題が無いならば、下流側の固定手段４３ｂ、４３ｄを設けなくても良い。
【００３６】
固定部５１−１と調整部５１−２の重なった部分（回収樋部材５１同士の重なり部分）の長さの調整によって回収樋４１全体の長さも簡単に調整でき、遊技島を設置する遊技店の所望する全長寸法に容易に合わせることができる。なお、長さ調整を容易にするため、上流側の回収樋部材５１と下流側の回収樋部材５１との形状をそれぞれ一直線状とし、遊技島１の長手方向と略一致する方向に配置している。したがって、回収樋４１の延びる方向は、遊技島１の長手方向に略一致し、遊技球は回収樋部材５１上を遊技島の長手方向に揚送装置に向けて流下する。
【００３７】
なお、図３に示したように、遊技島１に設置された複数の回収樋部材５１の上面（即ち、回収樋４１の全長の上面）に亘って、弾性部材としてゴム板８１が敷設される。これにより、回収樋４１に落下して回収された遊技球の飛び跳ね及び騒音が防止できる。複数の回収樋部材５１を全て遊技島１内に設置して回収樋４１が完成した後に、回収樋４１の上面に全長に亘ってゴム板８１が貼られる。これにより、回収樋部材５１を重ねる際にゴム板８１が邪魔にならず、無駄なゴム板を削減できる。
【００３８】
（第１の実施の形態の効果）
第１の実施の形態によると、遊技島１の遊技球回収機構３は、回収樋４１を備える。回収樋４１は、遊技島１の長手方向において揚送装置５に向けて下り傾斜して配設され、各遊技機から排出された遊技球を回収する。回収樋４１は、吊下げ固定手段４３により遊技島内に吊り下げて固定される回収樋部材５１を備える。吊下げ固定手段４３によって回収樋部材５１が吊下げられる高さによって回収樋４１の傾斜が調整可能である。従って、回収樋４１の設置、及び、回収樋４１の傾斜角度（勾配）の調整を容易に行うことができる。
【００３９】
回収樋４１は、遊技島１の長手方向において並べて配置された複数の回収樋部材５１を備える。隣り合う回収樋部材５１は長尺方向の一側同士が互いに重なるように配置されている。従って、複数の回収樋部材５１の一部ずつを重ねて繋げ、長尺な回収樋４１を形成できる。回収樋部材５１同士の重なり具合（例えば重なり部分の長さ）を調整して、回収樋４１の全体の長さの調整を容易に行うことができる。
【００４０】
回収樋部材５１は、遊技球が転動可能な転動面５１ｄを上面に有する底部５１ａを備える。回収樋部材５１は、底部５１ａの両端に連接して、外側上方に向かって傾斜した傾斜部５１ｂを有する。従って、流下する遊技球がボックス腰板２１の側壁２１ｂに衝突しないように遊技球を回収樋４１の中央へ誘導し、遊技球の衝突による騒音を防止できる。
【００４１】
遊技島１に設置された複数の回収樋部材５１の上面に亘って弾性部材（例えばゴム板８１）が敷設される。従って、遊技球が回収時において回収樋部材５１上に落下する場合に、遊技球の衝撃を吸収して、遊技球の飛び跳ね及び騒音を防止できる。また、隣り合う回収樋部材５１の重なった部分（重なり部分）が弾性部材で覆われるので、重なり部分によって生じる遊技球の流路の段差が緩和されて、流路面が滑らかになる。
【００４２】
（第２の実施の形態）
図６（Ａ）は、第２の実施の形態に係る回収樋４１を示す断面図である。第２の実施の形態において、弾性部材としてのゴム板８１（ゴムシート）は、回収樋部材５１における長尺方向に沿った端５１ｆよりも延出して設けられる。即ち、ゴム板８１は、両端部において、回収樋部材５１の端５１ｆよりも延出する延出部８１ａを有している。他の構成は、第１の実施の形態と同じであり、同じ部材には同じ符号を付して説明を省略する。なお、ゴム板８１の吊下げ固定手段４３に対峙する部分には切込み等を設け、ゴム板８１の切込みを吊下げ固定手段４３が通過するようにする。
【００４３】
（第２の実施の形態の効果）
図６（Ｂ）のように遊技球が回収樋部材５１の底部５１ａに集まって、遊技球の重みで底部５１ａが湾曲して、回収樋部材５１とボックス腰板２１の側壁２１ｂとの間に隙間が生じる場合がある。しかし、この場合でも、本実施の形態では、ゴム板８１の延出部８１ａは、回収樋部材５１が湾曲して撓んだ際に側方に生じる隙間を塞ぎ、遊技球が回収樋４１から落下することを防止する。
【００４４】
（第３の実施の形態）
図７（Ａ）（Ｂ）は、第３の実施の形態に係る回収樋４１を示す断面図である。第３の実施の形態において、回収樋４１は、回収樋部材５１の底部５１ａの下面（裏面）において、補強部材（補強壁）９１を有している。他の構成は、第１の実施の形態と同じであり、同じ部材には同じ符号を付して説明を省略する。
【００４５】
特に、補強部材９１は、最も下流に配置される回収樋部材５１の調整部５１−２において、底部５１ａの下面（裏面）に溶接や接着等により取付けられている。最下流の回収樋部材５１の調整部５１−２は、固定部５１−１の上に重ねられないため、また、揚送装置５近傍にあり遊技球が溜まり易いため、変形防止のために補強部材９１により補強することが好ましい。なお、図７では、補強部材９１は、水平の底面９１ａと、この底面に対して上面９１ｂが傾斜する形状を有するが、他の形状でもよい（例えば、補強パイプ）。
【００４６】
補強部材９１は、その長尺方向が遊技島１の長手方向に揃うように配置されている。補強部材９１は、回収樋部材５１に取付けた場合に、回収樋４１側の上面９１ｂが水平方向に対して回収樋４１の平均的な傾斜角度を実現するような形状で形成されている。最下流の回収樋部材５１の補強部材９１は、接地面（底面９１ａ）が接地する（設置場所の床９５に接する）ように設けると、回収樋４１の下流側の端が揚送装置５の下部の入口２５ａ近くに保持できるような高さとする（図９参照）。この場合に、遊技球が揚送装置５の下部の入口２５ａに流入しやすくなる。なお、設置場所の床９５は平坦とは限らないため、設置面（底面９１ａ）にネジを螺挿するなどして、高さ調整機能を設けても良い。
【００４７】
なお、回収樋部材５１の一部が接地した補強部材９１などによって下方からも支持される場合に、回収樋部材５１は上下から固定される。従って、この場合、吊下げ固定手段４３は２つでもよく、例えば、４つの吊下げ固定手段のうち吊下げ固定手段４３ｂ、４３ｄが省略できる。また、この場合に、図４Ｂのように、一つの回収樋部材５１に対して一つの吊下げ固定手段４３を一箇所のみに設けてもよい。
【００４８】
（第３の実施の形態の効果）
図８（Ａ）のように、補強部材９１がないと、最下流の回収樋部材５１の調整部５１−２は、揚送装置５への流入待ちの遊技球が滞留して荷重が大きくかかり遊技島長手方向において撓んで凹んでしまい、増々遊技球が途中で停留して流下しにくくなる可能性がある。しかし、本実施の形態では、図８（Ｂ）のように、補強部材９１が、下から回収樋部材５１の調整部５１−２を支えるため、遊技球の重みによる調整部５１−２の変形を防止できる。
【００４９】
また、図９のように、最下流の回収樋部材５１の補強部材９１が床９５に接するようにするだけで、揚送装置５の入口２５ａに遊技球が流入しやすい高さになるので、最下流に配置される回収樋部材５１の位置決めが容易になる。
【００５０】
以上のように、本発明は簡易な作業にて遊技島の回収樋を適切に設置することが可能となる。また、本発明は両島タイプの遊技島１（図１参照）のみならず、遊技島の片側長手方向にのみ複数の遊技機が並べて配置されるいわゆる片島タイプの遊技島にも有効である。図１０においてフレーム構造のみ示した片島タイプの遊技島１０１は、両島タイプの遊技島１（図１）から片側の膳板３５や遊技機等戴置部２５が省略され、遊技機も片側でしか設置されない。他の構成は、第１の実施の形態と同様であり、同じ部材には同じ符号を付して説明を省略する。
【００５１】
図１１のように、遊技店のフロアにおいて、片島タイプの遊技島１０１は、通常、遊技店フロアの壁際に設けられる。従って、施工現場において片側（壁側）からの回収樋４１の設置作業および調整作業はできない。しかし、吊下げ固定手段４３によって回収樋４１（回収樋部材５１）を吊り下げる構成であるので、片島タイプの遊技島１０１であっても、ボックス腰板２１の上方から回収樋４１の設置作業と調整作業を容易に行える。
【００５２】
なお、今回開示した上記の各実施の形態は、すべての点で例示であって制限的なものではない。また、本発明の範囲は前述した発明の説明ではなく特許請求の範囲によって示され、特許請求の範囲と均等の意味及び内容の範囲でのすべての変更が含まれることが意図される。
【符号の説明】
【００５３】
１        遊技島
３        遊技球回収機構
２１      ボックス腰板
２５      遊技機等戴置部（遊技機等戴置板）
４１      回収樋
４３      吊下げ固定手段（吊下げ固定部材、吊下げ部材）
５１      回収樋部材
５１ａ    底部
５１ｂ    傾斜部
６１      吊り棒
６７      上ナット（第一の締結部材）
６９      下ナット（第二の締結部材）
８１      ゴム板（弾性部材）
９１      補強部材
１０１    遊技島
【図３】
2014033942.tif 000003
【図４Ａ】
2014033942.tif 000004
【図４Ｂ】
2014033942.tif 000005
【図５】
2014033942.tif 000006
【図６】
2014033942.tif 000007
【図７】
2014033942.tif 000008
【図８】
2014033942.tif 000009
【図９】
2014033942.tif 000010
【図１】
2014033942.tif 000011
【図２】
2014033942.tif 000012
【図１０】
2014033942.tif 000013
【図１１】
2014033942.tif 000014